(57)【要約】【課題】  電子機器に用いられるキーユニットにおいて、キーボタンの照明を行う光源の照射光がスタビライザによって遮られキー表示が見えにくくなるという課題を解決する。【解決手段】  本発明のキーユニットは、複数のキーボタンと、キーボタンに対応した位置にスイッチ接点を形成し、かつキーボタンのキー表示部を照明する光源を配置した配線基板と、キーボタンの押下によって配線基板上のスイッチ接点に接触してキー信号の入力を行うスイッチ素子を有するスイッチシートと、キーボタンとスイッチシートの間に介在し、スイッチシート側の面のキーボタンに対応する位置に、キーボタンの押下による撓みを抑制する凸状のスタビライザを形成したベースフィルムを備え、ベースフィルムの各キーボタンに対応するスタビライザを、配線基板の光源からの照明光を各キーボタンのキー表示部に導く経路を形成するように所定の間隔で配置した少なくもと一対の凸状片で形成した。【選択図】  図３
2010257773.tif 000002
【特許請求の範囲】
【請求項１】
複数のキーボタンと、
前記キーボタンに対応した位置にスイッチ接点を形成し、かつ前記キーボタンのキー表示部を照明する光源を配置した配線基板と、
前記キーボタンの押下によって配線基板上のスイッチ接点に接触してキー信号の入力を行うスイッチ素子を有するスイッチシートと、
前記キーボタンと前記スイッチシートの間に介在し、前記スイッチシート側の面の前記キーボタンに対応する位置に、前記キーボタンの押下による撓みを抑制する凸状のスタビライザを形成したベースフィルムを備え、
前記ベースフィルムの各キーボタンに対応するスタビライザを、前記配線基板の光源からの照明光を各キーボタンのキー表示部に導く経路を形成するように所定の間隔で配置した少なくもと一対の凸状片で形成したことを特徴とするキーユニット。
【請求項２】
前記スタビライザの前記凸状片の形状を、前記キーボタンと前記光源との位置関係に応じて、略くの字又は略逆句の字状の経路を形成する形状としたことを特徴とする請求項１に記載のキーユニット。
【請求項３】
前記スタビライザが、前記キーボタンの上下位置に前記光源が位置する場合、前記光源から前記ボタンのキー表示部まで延びる縦向きの経路を形成し、前記キーボタンの左右横位置に前記光源が位置する場合、前記光源から前記ボタンのキー表示部まで延びる縦向きの経路を形成することを特徴とする請求項１又は請求項２に記載のキーユニット。
【請求項４】
配線基板の前記光源を、前記キーボタンの外側に配置したことを特徴とする請求項１から請求項３の何れかに記載のキーユニット。
【請求項５】
前記スタビライザの互いに対向して位置する前記一対の凸状片を、内側に凹んだ形状とすることを特徴とする請求項１から請求項４の何れかに記載のキーユニット。
【請求項６】
複数のキーボタンと、
前記複数のキーボタンを保持するキートップカバーと、
裏面の前記キーボタンに対応する位置に、前記キーボタンの押下による撓みを抑制する凸状のスタビライザを形成したベースフィルムを備え、
前記ベースフィルムの各キーボタンに対応するスタビライザを、前記キーボタンのキー表示部を照明する光源からの照明光を各キーボタンのキー表示部に導く経路を形成するように所定の間隔で配置した少なくもと一対の凸状片で形成したことを特徴とするキーシート。
【請求項７】
前記スタビライザの前記凸状片の形状を、前記キーボタンと前記光源との位置関係に応じて、略くの字又は略逆句の字状の経路を形成する形状としたことを特徴とする請求項６に記載のキーシート。
【請求項８】
前記スタビライザが、前記キーボタンの上下位置に前記光源が位置する場合、前記光源から前記ボタンのキー表示部まで延びる縦向きの経路を形成し、前記キーボタンの左右横位置に前記光源が位置する場合、前記光源から前記ボタンのキー表示部まで延びる縦向きの経路を形成することを特徴とする請求項６又は請求項７に記載のキーシート。
【請求項９】
前記スタビライザの互いに対向して位置する前記一対の凸状片を、内側に凹んだ形状とすることを特徴とする請求項６から請求項８の何れかに記載のキーシート。
【請求項１０】
キーユニットを備える電子機機器において、
前記キーユニットが、
複数のキーボタンと、
前記キーボタンに対応した位置にスイッチ接点を形成し、かつ前記キーボタンのキー表示部を照明する光源を配置した配線基板と、
前記キーボタンの押下によって配線基板上のスイッチ接点に接触してキー信号の入力を行うスイッチ素子を有するスイッチシートと、
前記キーボタンと前記スイッチシートの間に介在し、前記スイッチシート側の面の前記キーボタンに対応する位置に、前記キーボタンの押下による撓みを抑制する凸状のスタビライザを形成したベースフィルムを備え、
前記ベースフィルムの各キーボタンに対応するスタビライザを、前記配線基板の光源からの照明光を各キーボタンのキー表示部に導く経路を形成するように所定の間隔で配置した少なくもと一対の凸状片で形成したことを特徴とする電子機器。
【請求項１１】
前記スタビライザの前記凸状片の形状を、前記キーボタンと前記光源との位置関係に応じて、略くの字又は略逆くの字状の経路を形成する形状としたことを特徴とする請求項１０に記載の電子機器。
【請求項１２】
前記スタビライザが、前記キーボタンの上下位置に前記光源が位置する場合、前記光源から前記ボタンのキー表示部まで延びる縦向きの経路を形成し、前記キーボタンの左右横位置に前記光源が位置する場合、前記光源から前記ボタンのキー表示部まで延びる縦向きの経路を形成することを特徴とする請求項１０又は請求項１１に記載の電子機器。
【請求項１３】
配線基板の前記光源を、前記キーボタンの外側に配置したことを特徴とする請求項１０から請求項１２の何れかに記載の電子機器。
【請求項１４】
前記スタビライザの互いに対向して位置する前記一対の凸状片を、内側に凹んだ形状とすることを特徴とする請求項１０から請求項１３の何れかに記載の電子機器。
【発明の詳細な説明】
【技術分野】
【０００１】
本発明は、携帯電話等の薄型の電子機器に用いられるキーシートに関し、特に、スタビライザを備える薄型のキーシート、キーユニット及び電子機器に関する。
【背景技術】
【０００２】
一般に、携帯電話機やＰＤＡ（Personal
Digital Assistant）、携帯オーディ機器、家電電気製品用のリモートコントローラ等の薄型の電子機器のキーユニットは、キーボタンを配したキーシート、ドームスイッチシート及びキーフレキシブル基板を備える構成であり、キーボタンを配したキーシートは、ポリカーボネート樹脂等で形成されている。
【０００３】
ポリカーボネート樹脂で形成されたキーシートのキーボタンは、構造上極めて薄型に形成されているため、連続で打鍵した場合や長期の使用を経て亀裂が生じてしまう場合ある。
【０００４】
そのため、キーの連打等によってキーシートに亀裂が入ることを防ぐことを目的として、キーシートにスタビライザと呼ばれるＵＶ硬化樹脂等からなる突起を配置する技術が提案されていおり、その関連技術の一例が特許文献１に開示されている。
【先行技術文献】
【特許文献】
【０００５】
【特許文献１】特開２００９−０４８８４５
【発明の概要】
【発明が解決しようとする課題】
【０００６】
特許文献１等に記載されるキーシートのスタビライザは、キーボタンの外周付近を撓みにくくすることで薄型のキーボタンの亀裂を防ぐために設けられているが、キーボタンとキーボタンのキー表示部分の照明を行うＬＥＤ（Light Emitting Diode）との位置関係によって、ＬＥＤから照射発光される光がスタビライザで遮断されてしまい、暗い環境でキー表示が見えにくくなるという問題点がある。
【０００７】
（発明の目的）
本発明の目的は、電子機器に用いられるキーユニットにおいて、キーボタンの照明を行う光源の照射光がスタビライザによって遮られキー表示が見えにくくなるという課題を解決するキーシート、キーユニット及び電子機器を提供することにある。
【課題を解決するための手段】
【０００８】
本発明のキーユニットによれば、複数のキーボタンと、キーボタンに対応した位置にスイッチ接点を形成し、かつキーボタンのキー表示部を照明する光源を配置した配線基板と、キーボタンの押下によって配線基板上のスイッチ接点に接触してキー信号の入力を行うスイッチ素子を有するスイッチシートと、キーボタンとスイッチシートの間に介在し、スイッチシート側の面のキーボタンに対応する位置に、キーボタンの押下による撓みを抑制する凸状のスタビライザを形成したベースフィルムを備え、ベースフィルムの各キーボタンに対応するスタビライザを、配線基板の光源からの照明光を各キーボタンのキー表示部に導く経路を形成するように所定の間隔で配置した少なくもと一対の凸状片で形成した。
【０００９】
本発明によるキーシートは、複数のキーボタンと、複数のキーボタンを保持するキートップカバーと、裏面のキーボタンに対応する位置に、キーボタンの押下による撓みを抑制する凸状のスタビライザを形成したベースフィルムを備え、ベースフィルムの各キーボタンに対応するスタビライザを、キーボタンのキー表示部を照明する光源からの照明光を各キーボタンのキー表示部に導く経路を形成するように所定の間隔で配置した少なくもと一対の凸状片で形成した。
【００１０】
本発明による電子機器は、キーユニットを備える電子機機器において、キーユニットが、複数のキーボタンと、キーボタンに対応した位置にスイッチ接点を形成し、かつキーボタンのキー表示部を照明する光源を配置した配線基板と、キーボタンの押下によって配線基板上のスイッチ接点に接触してキー信号の入力を行うスイッチ素子を有するスイッチシートと、キーボタンとスイッチシートの間に介在し、スイッチシート側の面のキーボタンに対応する位置に、キーボタンの押下による撓みを抑制する凸状のスタビライザを形成したベースフィルムを備え、ベースフィルムの各キーボタンに対応するスタビライザを、配線基板の光源からの照明光を各キーボタンのキー表示部に導く経路を形成するように所定の間隔で配置した少なくもと一対の凸状片で形成した。
【発明の効果】
【００１１】
本発明によれば、光源からの照明光がスタビライザによって遮られることなく、各キーボタンのキー表示部分まで良好に届き、各キーボタンのキー表示部分に対する照明が効率的になされるようになる。
【図面の簡単な説明】
【００１２】
【図１】本発明の実施の形態による薄型の電子機器に用いられるキーユニットの分解図である。
【図２】本発明の実施の形態によるキーユニットを構成するキーシートの分解図である。
【図３】本発明の実施の形態によるキーユニットを構成するキーシートの一部を透視して示した図である。
【図４】図３のＡ−Ａ線部分における断面図である。
【発明を実施するための形態】
【００１３】
次に、本発明の実施の形態について図面を参照して詳細に説明する。
【００１４】
（第１の実施の形態）
図１は、本発明を適用した第１の実施の形態による薄型の電子機器である携帯電話機、ＰＤＡ、携帯オーディ機器、家電電気製品用のリモートコントローラ等の電子機器に用いられる機器のキーユニットの分解図であり、図２は、キーユニットを構成するキーシートの分解図、図３は、当該携帯機器のキーシートの一部を透視して示した図である。
【００１５】
図１を参照すると、第１の実施の形態による携帯機器のキーユニット１０は、キーシート１０１、ドームスイッチシート１０２、キーフレキシブル基板１０３を備える構成であり、これらの３つの部品を重ね合わせた状態で、電子機器本体２０に組み込まれる。
【００１６】
キーシート１０１は、図２に示すように、さらに、キートップカバー２０１、キーボタン２０２、ベースフィルム２０３を重ね合わせた構造となっている。
【００１７】
キートップカバー２０１は、キーシート１０１の表面に位置するカバーであり、キーボタン２０２を所定の配置に並べて保持するためのカバーであり、キーボタン２０２を外部に露出させて保持するための開口部を有する形状である。
【００１８】
キーボタン２０２は、ポリカーボネート樹脂等の合成樹脂により光が透過可能に形成されており、個々のキー表面には、携帯機器で入力操作を行うための文字や記号等のキーの機能を示すキー表示部分が一体に形成されている。このキーボタン２０２は、キートップカバー２０１とベースフィルム２０３間に挟まれた状態で配置される。
【００１９】
ベースフィルム２０３は、キートップカバー２０１とでキーボタン２０２を挟んだ状態で保持する部材であり、ＵＶ硬化樹脂等の合成樹脂からなる。
【００２０】
このベースフィルム２０３の裏面には、キーボタン２０２を押下した場合にキーボタン２０２の外周近傍を撓みにくくするための複数のスタビライザ２０４と、ドームスイッチシート１０２に設けられた各ドームスイッチ１２２を押下するための押下突起２０５が形成されている。
【００２１】
ベースフィルム２０３のスタビライザ２０４は、ベースフィルム２０３の裏面のうちキーボタン２０２の各キーに対応した位置に、各キーボタン２０２に配された文字や記号に対して照射されるＬＥＤの光を遮断しない位置及び形状に形成されている。このスタビライザ２０４の位置及び形状の詳細については後述する。
【００２２】
ベースフィルム２０３の押下突起２０５は、ベースフィルム２０３の裏面うちキーボタン２０２の各キーのほぼ中央に位置に形成されており、キーボタン２０２の各キーを押下した場合に、この押下突起２０５が下方に撓むことでドームスイッチシート１０２の各ドームスイッチ１２２を撓ませる構造となっている。なお、この押下突起２０５のサイズは、スタビライザ２０４に比べて十分小さくＬＥＤの照明光を遮ることはない。
【００２３】
ドームスイッチシート１０２は、キーシート１０１とキーフレキシブル基板１０３の間に配置されている。ドームスイッチシート１０２表面のうちキーボタン２０２の各キーに対応した位置には、ドーム型に形成した複数のドームスイッチ１２２が配置されている。
【００２４】
キーフレキシブル基板１０３は、例えばプリント配線基板等の多層配線構造の配線基板であり、表面部のうちドームスイッチシート１０２のドームスイッチ１２２に対応する位置には、プリント配線によってスイッチ接点１３３が形成されている。キーボタン２０２を押下すると、ドームスイッチ１２２が撓んでこのスイッチ接点１３３と電気的に接触することにより、キーボタン２０２の各キーのキー表示で示された信号が入力されるものである。
【００２５】
また、キーフレキシブル基板１０３のうち、キーボタン２０２の各キーの外側部分に対応する位置には、キーボタン１０２に対して照明光を照射するための複数のＬＥＤ１０４が配置されている。ＬＥＤ１０４は、下方からキーボタン１０２に対して照明光を照射することで、暗い環境でもキーボタン１０２を目視可能にするための光源である。
【００２６】
次いで、図３及び図４を参照して、キーボタン２０２の各キーと、ベースフィルム２０３に設けたスタビライザ２０４との位置関係について説明する。図４は、図３のＡ−Ａ線部分のベースフィルム２０２とフレキシブル基板２０３の断面を示す図である。ここでは、キーボタン２０２のうち、キー表示「Ｅ」のキー２０２−１、キー表示「Ｆ」のキー２０２−２、キー表示「Ｇ」のキー２０２−３、キー表示「Ｈ」のキー２０２−４、キー表示「Ａ」からキー表示「Ｄ」のキー２０２−５と、そられらのキー２０２−１〜２０２−５に対応して配置されたＬＥＤ１０４−１〜１０４−８及びスタビライザ２０４−１〜２０４−８を示している。
【００２７】
図３に示すように、キーボタン２０２の各キーのキー表示部分のほぼ中央に、ベースフィルム２０３に設けた押下突起が位置している。この押下突起２０５の高さは、スタビライザ２０４の高さよりドームスイッチ１２２の高さの分だけ低く形成されている。これにより、図４に示すように、スタビライザ２０４がドームスイッチシート１０２の表面に当接した状態で、押下突起２０５がドームスイッチ１２２の上に当接して位置することになる。
【００２８】
本実施の形態によるベースフィルム２０３のスタビライザ２０４は、スタビライザ２０４本来の機能（キーボタン２０２の外周近傍を撓みにくくする機能）を備えつつ、かつキーボタン２０２の外側に位置するＬＥＤ１０４ａ〜１０４ｎからキーボタン２０２の各キーのキー表示部分へ照射される照射光を遮らないように形成してある。
【００２９】
図３に示すＬＥＤ１０４−１は、キーボタン２０２のうち、キー表示「Ｅ」のキー２０２−１を照らすＬＥＤであるが、このキー表示「Ｅ」のキー２０２−１に対応して形成したスタビライザ２０４−１について詳細に説明する。
【００３０】
スタビライザ２０４−１は、一対の凸状片を互いに対向させて形成している。そして、この一対の凸状片を所定の間隔を開けてキー表示「Ｅ」の両側に位置し、ＬＥＤ１０４−１からキー表示「Ｅ」のキー２０２−１の下まで届くような縦向きの経路（空間）を形成している。
【００３１】
ＬＥＤ１０４−１の場合、ＬＥＤ１０４−１がキー表示「Ｅ」のキーの中心より僅かに左にずれた位置にあるため、スタビライザ２０４−１の形状を、対向する凸状片によって略くの字形の経路を形成するような形状としている。
【００３２】
ＬＥＤ１０４−１は、キーボタン２０２−１及びスタビライザ２０４−１の外側に配置されているため、ＬＥＤ１０４の光は横方向に進むことになる。そこで、スタビライザ２０４−１によって略くの字形の経路を確保することにより、ＬＥＤ１０４−１の照射光が経路に沿ってキーボタン２０２−１のキー表示部分まで届くようになる。
【００３３】
略くの字形の縦向きの経路を形成するような形状としている点は、キーボタン２０２−２に対応するスタビライザ２０４−２についても同様である。また、キーボタン２０２−３、２０２−４に対応するスタビライザ２０４−３、２０４−４については、スタビライザ２０４−１と同じように縦向きの経路であるが、略逆くの字形の経路を形成している。
【００３４】
また、図３のキー表示「Ａ」のキーボタン２０２−５の場合、対応するＬＥＤ１０４−５がキー表示「Ａ」の上方中央に位置していることから、互いに対向するスタビライザを内側（キー表示「Ａ」側）に凹んだ形状とし、縦向きの経路を形成している。これについては、キー表示「Ｃ」に対応するスタビライザ２０４−７についても同様である。
【００３５】
図３のキーボタン２０２−５のキー表示「Ｂ」に対応するスタビライザ２０４−６の場合、対応するＬＥＤ１０４−６がキー表示「Ｂ」の左中央に位置していることから、互いに対向するスタビライザを内側（キー表示「Ｂ」側）に凹んだ形状とし、横向きの経路を形成している。これについては、キー表示「Ｄ」に対応するスタビライザ２０４−８についても同様である。
【００３６】
（第１の実施の形態の動作の説明）
次に、上記のように構成される本実施の形態によるスイッチユニット１０の動作について図３を用いて説明する。
【００３７】
上述したように、本実施の形態では、キーボタン２０２の各キーと、そのキーに対して照明光を照射するＬＥＤ１０４との位置関係に応じて、スタビライザ２０４の形状を、ＬＥＤ１０４から照射した照明光を各キーのキー表示部分まで導くための経路を形成する形状とした。これにより、ＬＥＤ１０４からの照明光がスタビライザ２０４によって遮られることなく、各キーボタンのキー表示部分まで良好に届くため、各キーボタンのキー表示部分に対する照明が効率的になされるようになる。
【００３８】
（第１の実施の形態による効果）
次に本実施の形態の効果について説明する。
【００３９】
本実施の形態によれば、キーボタン２０２の各キーと、そのキーに対して照明光を照射するＬＥＤ１０４との位置関係に応じて、スタビライザ２０４の形状を、ＬＥＤ１０４から照射した照明光を各キーのキー表示部分まで導くための経路を形成する形状としたので、ＬＥＤ１０４からの照明光がスタビライザ２０４によって遮られることなく、各キーのキー表示部分まで良好に届くようになる。これにより、各キーボタンのキー表示部分に対する照明が効率的になされ、照明が不十分でキー表示部分が見えにくくなるということが解消される。
【００４０】
以上好ましい実施の形態をあげて本発明を説明したが、本発明は必ずしも、上記実施の形態に限定されるものでなく、その技術的思想の範囲内において様々に変形して実施することができる。
【００４１】
上述した実施の形態で示したスイッチユニットにおける、キーボタン２０２の形状や配置、ＬＥＤ１０４の位置及びスタビライザ２０４の形状は、あくまで一例であり、それらに限定されるものではない。スタビライザ２０４の形状については、ＬＥＤからの照明光をキー表示部まで導く経路を形成するような形状であれば、各キーの形状とＬＥＤとの位置関係に応じて様々変更することが可能である。
【産業上の利用可能性】
【００４２】
本発明は、薄型の電子機器である携帯電話機、ＰＤＡ、携帯オーディ機器、家電電気製品用のリモートコントローラ等の電子機器に用いられるキーユニット、そのキーユニットを構成するキーシートに利用することが可能である。
【符号の説明】
【００４３】
１０：キーユニット
２０：電子機器本体
１０１：キーシート
１０２：ドームスイッチシート
１０３：キーフレキシブル基板
１０４：ＬＥＤ
１２２：ドームスイッチ
１３３：スイッチ接点
２０１：キートップカバー
２０２：キーボタン
２０３：ベースフィル
２０４：スタビライザ
２０５：押下突起
【図１】
2010257773.tif 000003
【図２】
2010257773.tif 000004
【図３】
2010257773.tif 000005
【図４】
2010257773.tif 000006